(57)【要約】【課題】ＣＤ−ＲＯＭのような薄形の商品を取り出し易く包装する。【解決手段】下面１１、正面１２、左右各一対の側面１３、１３…、上下一対の背面１４、１４により凸８面体を形成する。正面１２上に商品を装着して力Ｆを加えると、全体を平板状に折り畳んで外装体に包装することができ、外装体から取り出すと、凸８面体に起立して商品の全体を露出させることができる。【選択図】　図１
2004042911.tif 000002
【特許請求の範囲】
【請求項１】
長方形の下面と、該下面と一方の短辺を共有する長方形の正面と、前記下面、正面の各長辺の間に介装する左右各一対の三角形の側面と、前記下面、正面の各短辺の間に介装し、互いに底辺を共有する上下一対の台形の背面とを備えてなり、前記下面、正面、側面、背面は、凸８面体を形成し、前記正面を前記下面上に折り重ねるとともに、前記各一対の側面、一対の背面をそれぞれ互いに折り重ねることにより、平板状に折畳み可能であることを特徴とする支持台。
【請求項２】
前記左右の側面は、付勢材を介して互いに内側に付勢することを特徴とする請求項１記載の支持台。
【請求項３】
前記付勢材の両端は、それぞれ前記一対の側面の間に介装する折重ね可能な連結片に連結することを特徴とする請求項１または請求項２記載の支持台。
【請求項４】
前記付勢材は、リング状のゴムバンドであることを特徴とする請求項２または請求項３記載の支持台。
【請求項５】
前記下面、正面、側面、背面は、１枚のシート材に一体に展開することを特徴とする請求項１ないし請求項４のいずれか記載の支持台。
【請求項６】
前記シート材は、紙材であることを特徴とする請求項５記載の支持台。
【発明の詳細な説明】
【０００１】
【発明の属する技術分野】
この発明は、たとえばＣＤ−ＲＯＭや写真、絵はがき等の薄形の商品を包装したり展示したりする際に特に好適に使用することができる支持台に関する。
【０００２】
【従来の技術】
薄い円板体のＣＤ−ＲＯＭは、映像や音声、コンピュータプログラム等の記録媒体として広く普及し、市場に流通している。
【０００３】
ＣＤ−ＲＯＭは、たとえばフォルダ形式の包装用紙器の内部のポケットに収納して流通過程におかれるのが普通である。なお、フォルダ形式の包装用紙器は、表面に宣伝用の印刷等を施した２つ折りの上紙と下紙との間を平面状に開くことにより、下紙に形成されたポケット内のＣＤ−ＲＯＭを外部に抜き出して取り出すことができる。
【０００４】
【発明が解決しようとする課題】
かかる従来技術によるときは、ＣＤ−ＲＯＭは、上紙、下紙の間に挟み込むようにしてポケット内に収納されているから、上紙を開いてポケットからＣＤ−ＲＯＭを取り出す際に、ＣＤ−ＲＯＭの記録面に手指を触れることが避けられず、記録情報を損なうおそれがあるという重大な問題があった。
【０００５】
そこで、この発明の目的は、かかる従来技術の問題に鑑み、平板状に折畳み可能な凸８面体を形成することによって、ＣＤ−ＲＯＭを含む薄形の商品を包装したり展示したりする用途に極めて好適に使用することができる支持台を提供することにある。
【０００６】
【課題を解決するための手段】
かかる目的を達成するためのこの発明の構成は、長方形の下面と、下面と一方の短辺を共有する長方形の正面と、下面、正面の各長辺の間に介装する左右各一対の三角形の側面と、下面、正面の各短辺の間に介装し、互いに底辺を共有する上下一対の台形の背面とを備えてなり、下面、正面、側面、背面は、凸８面体を形成し、正面を下面上に折り重ねるとともに、各一対の側面、一対の背面をそれぞれ互いに折り重ねることにより、平板状に折畳み可能であることをその要旨とする。
【０００７】
なお、左右の側面は、付勢材を介して互いに内側に付勢することができる。
【０００８】
また、付勢材の両端は、それぞれ一対の側面の間に介装する折重ね可能な連結片に連結してもよく、付勢材は、リング状のゴムバンドとしてもよい。
【０００９】
さらに、下面、正面、側面、背面は、１枚のシート材に一体に展開することができ、シート材は、紙材とすることができる。
【００１０】
【作用】
かかる発明の構成によるときは、下面、正面、側面、背面は、全体として凸８面体を形成し、しかも平板状に折り畳むことができる。そこで、ＣＤ−ＲＯＭを含む薄形の商品は、適当なホルダを介して、または直接正面上に装着し、支持台を平板状に折り畳むことにより、支持台とともにたとえば薄い箱状または袋状の包装用紙器のような外装体に収納して包装することができ、支持台とともに外装体から取り出し、支持台を凸８面体に起立させることにより、支持台から簡単に取り外して使用することができる。
【００１１】
付勢材を介して左右の側面を内側に付勢すれば、支持台は、外装体から取り出すと同時に、付勢材を介して自動的に凸８面体に起立させることができる。左右の各一対の側面は、支持台を平板状に折り畳むと、互いに折り重なって外側に大きく突出するようにして屈曲し、これを内側に引き込むように付勢すると、全体を凸８面体に起立させることができるからである。
【００１２】
付勢材は、両端を左右の一対の側面の間に介装する連結片に連結することにより、左右の側面を内側に確実に付勢することができる。ただし、このときの付勢材は、たとえばゴム質の線材やコイルばねを含む引張りばねのように、伸び変形に伴って張力を発生する弾性部材であって、支持台が凸８面体に起立して最短に縮んだ場合にも緩むことがなく、商品を装着したままの支持台を凸８面体に確実に起立させ、その形状を維持させることが好ましい。
【００１３】
付勢材は、リング状のゴムバンド（いわゆる輪ゴム）とすることにより、極めて安価に入手することができる。なお、ゴムバンドは、リング状のまま、両端を左右の側面の内側に掛け、実質的に２重の弾性線材として使用することができる。
【００１４】
下面、正面、側面、背面を１枚のシート材に一体に展開すれば、個別の部材を組み合わせることなく、折曲げ、接着だけにより全体を組み立てることができ、組立作業が極めて容易である。なお、下面、正面、各側面、各背面は、折曲げ用の罫線を介してあらかじめ区分しておくことが好ましい。
【００１５】
シート材は、適当な剛性を有する紙材を使用することにより、軽量化を図り、製造原価を最少にすることができる。ただし、シート材は、所定の剛性があり、所定回数の繰返し折曲げ強度を有する限り、紙材以外の合成樹脂シート材や金属シート材などであってもよい。
【００１６】
【発明の実施の形態】
以下、図面を以って発明の実施の形態を説明する。
【００１７】
支持台１０は、長方形の下面１１、長方形の正面１２、左右各一対の三角形の側面１３、１３…、上下一対の台形の背面１４、１４を備えてなり、凸８面体に形成されている（図１、図２）。ただし、図２は、１枚のシート材に展開する支持台１０の各面の展開図であり、図２において、下面１１、正面１２、各側面１３、各背面１４は、谷折り、山折りの折曲げ用の罫線１５、１５…、１６、１６を介して区分されている。
【００１８】
正面１２は、下面１１と一方の短辺を共有し、下面１１と同形に形成されている。また、左右の側面１３、１３…は、それぞれ下面１１、正面１２の各長辺の間に介装されている。すなわち、各側面１３は、下面１１、正面１２の長辺と等長の斜辺を有する二等辺三角形に形成され、隣接する一対の側面１３、１３の間には、山折りの罫線１６を介して折重ね可能な連結片１７、１７が介装されている。また、連結片１７、１７には、側面１３、１３の底辺側に近い位置に、半円弧状の切込線１７ａが形成され、切込線１７ａの両端は、罫線１５、１５上の小孔１７ｂ、１７ｂによって終端されている。なお、正面１２から遠い側の側面１３、１３の外側の斜辺には、それぞれ罫線１５を介して接着用の舌片１３ａが付設されている。
【００１９】
背面１４、１４は、互いに底辺を共有する同形に形成され、下面１１、正面１２の各短辺の間に介装されている。ただし、各背面１４の斜辺は、各側面１３の底辺と等長であり、下面１１側、すなわち正面１２から遠い側の背面１４の上辺には、罫線１５を介して接着用の舌片１４ａが付設されている。
【００２０】
そこで、支持台１０は、左右の舌片１３ａ、１３ａを下面１１の長辺に沿って接着し、舌片１４ａを下面１１の短辺に沿って接着することにより（図１、図３）、凸８面体に組み立てることができる。ただし、このとき、左右の連結片１７、１７…は、それぞれ山折りの罫線１６を介して折り重ねられ、一対の側面１３、１３の間に内側に向けて突出する。よって、切込線１７ａ、１７ａを介して小孔１７ｂ、１７ｂの位置にまで輪ゴムからなる付勢材１８の両端を進入させるようにして掛け、付勢材１８を介して左右の側面１３、１３…を内側に付勢することにより、支持台１０を凸８面体に起立させてその形状を維持することができる。
【００２１】
なお、図３は、舌片１３ａ、１３ａ、１４ａを下面１１に接着する前の組立途中を示す模式斜視図である。また、図４（Ａ）の実線は、図１のＸ−Ｘ線矢視相当模式断面図、同図（Ｂ）は、同図（Ａ）のＹ−Ｙ線矢視相当要部拡大図である。
【００２２】
支持台１０は、正面１２の上部に力Ｆを加えることにより（図１の矢印方向）、左右の各一対の側面１３、１３が外側に突出するようにして屈曲して付勢材１８を引き伸ばしながらつぶれ（図５（Ａ）、（Ｂ））、最終的に、正面１２を下面１１上に折り重ね、各一対の側面１３、１３、一対の背面１４、１４を互いに折り重ねることにより、平板状に折り畳むことができる（図４（Ａ）の二点鎖線）。また、このようにして折り畳まれた支持台１０は、力Ｆを除去することにより、付勢材１８を介して自動的に元の凸８面体に起立して復帰させることができる。
【００２３】
かかる支持台１０は、たとえば上蓋２１、横蓋２２を有する包装用紙器としての箱２０にＣＤ−ＲＯＭ１を収納して包装する際に使用することができる（図６）。
【００２４】
ＣＤ−ＲＯＭ１は、一対の起立片３１、３１を有するホルダ３０を支持台１０の正面１２に接着し（図６の二点鎖線）、起立片３１、３１を中心孔１ａに挿入することにより、支持台１０に取外し自在に装着されている。ただし、支持台１０は、箱２０に付属するスライドベース２３上に下面１１を接着して搭載されている。なお、スライドベース２３には、上蓋２１の差込片２１ａに対応する切込線２３ａ、直角に屈曲するストッパ片２３ｂが前端の起立壁２３ｃの中央に設けられている。
【００２５】
そこで、ＣＤ−ＲＯＭ１は、支持台１０を平板状に折り畳み、箱２０の横蓋２２側から、スライドベース２３を介して支持台１０とともに箱２０に挿入して収納することができる。ただし、このときの箱２０は、上蓋２１の少なくとも先端側の両角部分（図６の一点鎖線部分）を箱２０の本体側の角部２４、２４に対して点線状の切込線を介して連続させることにより、上蓋２１を未開封状態に閉じておくものとする。なお、箱２０内に収納されたＣＤ−ＲＯＭ１は、横蓋２２を閉じて包装を完了する。
【００２６】
ＣＤ−ＲＯＭ１を箱２０から取り出すときは、上蓋２１の両角部分を本体側の角部２４、２４から分離させて開封し、上蓋２１を上方に開く（図７の二点鎖線）。このとき、支持台１０は、上蓋２１による押圧力が除去されるため、内部の付勢材１８を介して凸８面体に自動的に起立し、ＣＤ−ＲＯＭ１を斜めに起立させて外部に露出させる（同）。そこで、ホルダ３０の起立片３１、３１からＣＤ−ＲＯＭ１を取り外して使用すればよい。なお、このようにして開封した箱２０は、ＣＤ−ＲＯＭ１をホルダ３０の起立片３１、３１に再装着し、上蓋２１を閉じて支持台１０を折り畳み、差込片２１ａをスライドベース２３の切込線２３ａに挿入して上蓋２１を軽くロックすることにより（図７の実線、図８）、ＣＤ−ＲＯＭ１の保管用に再利用することができる。
【００２７】
以上の説明において、支持台１０は、ＣＤ−ＲＯＭ１の他、写真や、絵はがき、絵画等の薄形の商品を包装したり、展示したりする用途に対し、広く好適に使用することができる。また、商品を包装する外装体は、箱２０に代えて、封筒状の袋や、上紙２ａ、下紙２ｂを両開きするフォルダ形式であってもよい（図９）。ただし、図９において、支持台１０に装着する部材２ｃは、上紙２ａ、下紙２ｂとともに、商品クリスマスカードの一部となっている。
【００２８】
【発明の効果】
以上説明したように、この発明によれば、下面、正面と、左右の側面と、背面とを設けることによって、全体として凸８面体を形成するとともに平板状に折畳み可能であるから、正面上に装着する薄形の商品を外装体にコンパクトに包装し、外装体から取り出した商品を起立させることができ、薄形の商品を包装したり展示したりする用途に極めて好適に使用することができるという優れた効果がある。
【図面の簡単な説明】
【図１】一部破断全体構成斜視図
【図２】全体展開図
【図３】組立過程を示す模式斜視図
【図４】要部構成説明図
【図５】動作説明図
【図６】使用状態説明図（１）
【図７】図６の動作説明図
【図８】図７の要部拡大図
【図９】使用状態説明図（２）
【符号の説明】
１０…支持台
１１…下面
１２…正面
１３…側面
１４…背面
１７…連結片
１８…付勢材
【図１】
2004042911.tif 000003
【図２】
2004042911.tif 000004
【図３】
2004042911.tif 000005
【図４】
2004042911.tif 000006
【図５】
2004042911.tif 000007
【図６】
2004042911.tif 000008
【図７】
2004042911.tif 000009
【図８】
2004042911.tif 000010
【図９】
2004042911.tif 000011